(57)【特許請求の範囲】
【請求項１】
電池電源を有する制御回路用の電子部品を取り付けたプリント配線板に嵌合して取り付ける係止爪と、制御しようとする器具に取り付ける固定片と、プリント配線板の半田面を保護する保護カバー部と、保護カバー部より突出した複数のコネクタ支持片とを備えた弾性のある樹脂製の制御器固定装置であって、各コネクタ支持片には相対向する位置に膨大部を有し、コネクタ支持片の先端から膨大部に至る部分には傾斜部が設けられ、かつ保護カバー部に近接する部分にはコネクタのかしめ部が圧入する圧入部が設けられ、前記コネクタ支持片の先端どうしの間隔寸法はコネクタの径寸法より大きく、前記膨大部どうしの間隔寸法はコネクタのかしめ部の厚さ寸法よりも小さく、しかも圧入部においてコネクタ支持片が相対向する部分どうしの間隔寸法はコネクタのかしめ部の厚さ寸法より大きくコネクタの径寸法よりも小さくしたことを特徴とする制御器固定装置。
【請求項２】
コネクタ支持片は中央部に位置するコネクタ支持片と左右両側に位置するコネクタ支持片とから構成されていて中央部に位置するコネクタ支持片はその左右両側に位置するコネクタ支持片の膨大部ならびに傾斜部に対向する膨大部ならびに傾斜部を有し、かつ保護カバー部に近接する部分には左右両側に位置するコネクタ支持片との間に夫々圧入部を設けたことを特徴とする請求項１記載の制御器固定装置。
【請求項３】
各コネクタ支持片の長手方向の寸法はコネクタに設けられたかしめ部の長さ寸法よりも小さくしたことを特徴とする請求項１記載の制御器固定装置。
【発明の詳細な説明】
【０００１】
【発明の属する技術分野】
本発明は、ガスメータに内蔵するガス遮断装置等に使用できる制御器固定装置に関するものである。
【０００２】
【従来の技術】
従来例の制御器固定装置Ａは、図９に示す電源通電状態の電池電源を有する制御回路用の電子部品を備えたプリント配線板１の裏面に嵌合するもので、図１０に示すようにプリント基板１に嵌合固定する係止爪２と、制御器固定装置Ａを制御しようとする器具に取り付ける固定片３と、プリント配線板１の半田面を保護する保護カバー部４と、保護カバー部４より突出したコネクタ支持片５とを備えたものである。
【０００３】
そしてコネクタ支持片５は図９に示すプリント配線板１より導出したリード線６の先端にかしめ固定したコネクタ７を支持するものである。コネクタ支持片５は図１１に示すように保護カバー部４より寸法Ｍ１を突出しコネクタ７の径であるＤ１の寸法より大きくしている。
【０００４】
また、コネクタ支持片５の支持部の寸法Ｍ２もコネクタ７の径であるＤ１より大きくしている。従ってコネクタ支持片５にコネクタ７を挿入することができる。勿論コネクタ７には中央部においてかしめ部７ａがあり、このかしめ部７ａによってリード線６をかしめ固定している為、かしめ部７ａの部分の厚さ寸法Ｄ２は径の寸法Ｄ１より小さい。コネクタ支持片５は図１２に示すようにコネクタ７のかしめ部７ａを支持しているため、コネクタ支持片５によるコネクタ７の支持部は充分に隙間がある。
【０００５】
【発明が解決しようとする課題】
前記する図９ないし図１２に示す従来の制御器固定装置Ａでは輸送途上や梱包箱から取り出す時の振動によりコネクタ７を支持するコネクタ支持片５からコネクタ７が外れて脱落する危惧があった。そこで、本発明は、前記従来例の問題点を解消することを課題とし、コネクタを確実に固定する制御器固定装置を提供しようとするものである。
【０００６】
【課題を解決するための手段】
前記する課題を解決するために、本発明の制御器固定装置は、電池電源を有する制御回路用の電子部品を取り付けたプリント配線板に嵌合して取付ける係止爪と、制御しようとする器具に取り付ける固定片と、プリント配線板の半田面を保護する保護カバー部と、保護カバー部より突出した複数のコネクタ支持片とを備えた弾性のある樹脂製の制御器固定装置であって、各コネクタ支持片には相対向する位置に膨大部を有し、コネクタ支持片の先端から膨大部に至る部分には傾斜部が設けられ、かつ保護カバー部に近接する部分にはコネクタのかしめ部が圧入する圧入部が設けられ、前記コネクタ支持片の先端どうしの間隔寸法はコネクタの径寸法より大きく、前記膨大部どうしの間隔寸法はコネクタのかしめ部の厚さ寸法よりも小さく、しかも圧入部においてコネクタ支持片が相対向する部分どうしの間隔寸法はコネクタのかしめ部の厚さ寸法より大きく、コネクタの径寸法よりも小さくするように構成したものである。
【０００７】
従ってプリント配線板より導出したリード線の先端に設けたコネクタはコネクタ支持片の圧入部にかしめ部が圧入されることによって、制御器固定装置より震動があっても脱落することなく支持され、しかもプリント配線板に接触することなく保持されるものである。
【０００８】
【発明の実施の形態】
本発明は、各請求項に記載した形態で実施できるものであり、請求項１記載のように、電池電源を有する制御回路用の電子部品を取り付けたプリント配線板に嵌合して取付ける係止爪と、制御しようとする器具に取り付ける固定片と、プリント配線板の半田面を保護する保護カバー部と、保護カバー部より突出した複数のコネクタ支持片とを備えた弾性のある樹脂製の制御器固定装置であって、各コネクタ支持片には相対向する位置に膨大部を有し、コネクタ支持片の先端から膨大部に至る部分には傾斜部が設けられ、かつ保護カバー部に近接する部分にはコネクタのかしめ部が圧入する圧入部が設けられ、前記コネクタ支持片の先端どうしの間隔寸法はコネクタの径寸法より大きく、前記膨大部どうしの間隔寸法はコネクタのかしめ部の厚さ寸法よりも小さく、しかも圧入部においてコネクタ支持片が相対向する部分どうしの間隔寸法はコネクタのかしめ部の厚さ寸法より大きく、コネクタの径寸法よりも小さくすることにより、プリント配線板から導出されたリード線先端のコネクタはコネクタ支持片によって確実に支持され梱包時，輸送時などの震動によってもコネクタはコネクタ支持片から脱落することがない。
【０００９】
また、請求項２記載のように、コネクタ支持片は中央部に位置するコネクタ支持片と、その左右両側に位置するコネクタ支持片とにより構成し、中央部に位置するコネクタ支持片はその左右側部に夫々相対向する左右両側に位置するコネクタ支持片が有している膨大部ならびに傾斜部に対向する膨大部ならびに傾斜部を設け、かつ保護カバー部に近接する部分には左右両側に位置するコネクタ支持片との間に夫々圧入部を設けたことによりコネクタ支持片の形成が簡単になるものである。
【００１０】
また、請求項３記載のように各コネクタ支持片の長手方向の寸法はコネクタに設けられたかしめ部の長さ寸法よりも小さくすることにより、コネクタのかしめ部をコネクタ支持片間に圧入がし易くなるものである。
【００１１】
以下に本発明の実施例について図１ないし図８を用いて詳細に説明する。
（実施例１）
図１ないし図５において、８はガス遮断装置の主要部品である電源通電状態の電池電源を有する制御回路用の電子部品を備えたプリント配線板、９は制御しようとする器具へ駆動電力を供給するリード線であり、１０は前記リード線９をかしめたコネクタである。制御器固定装置Ｂは前記プリント配線板８を嵌合固定する係止爪１１と、制御しようとする器具へ取り付け固定する固定片１２と、前記プリント配線板８のハンダ面を保護する保護カバー部１３と、前記コネクタ１０を圧入して前記プリント配線板８と接触しないように保持するコネクタ支持片１４とで構成されており全体は弾性のある合成樹脂で成形されている。しかも前記コネクタ支持片１４は保護カバー部１３よりコネクタ１０の径方向の寸法Ｄ１より大きい寸法Ｎ１で突出する様に複数設けられていて、前記コネクタ１０のかしめ部１０ａを保持する圧入部１５がコネクタ支持片１４間に形成されており、この圧入部１５へ前記コネクタ１０を圧入する。コネクタ支持片１４は相互に相対する膨大部１４ａが中央に構成されており、先端から膨大部１４ａにかけて傾斜部１４ｂが形成されている。そしてコネクタ１０の径方向の寸法Ｄ１よりかしめ部１０ａの厚さ方向の寸法Ｄ２は小さくなっており、そのかしめ部１０ａをコネクタ支持片１４の基部の圧入部１５が支持している。膨大部１４ａ間の寸法Ｎ２はかしめ部１０ａの厚さ方向の寸法Ｄ２より小さいため、弾性のあるコネクタ支持片１４を外側へ変形して広げ膨大部１４ａ間をかしめ部１０ａは乗りこえて圧入し圧入部１５に嵌入保持されることになる。従ってコネクタ１０に対して作用する前記圧入力と逆向きの引き抜き力には膨出部１４ａが抵抗する。又コネクタ支持片１４の長手方向の寸法Ｈに対しては、コネクタ１０のかしめ部１０ａの厚さ方向の寸法Ｄ２よりも圧入部の幅Ｎ３が大きく、かつコネクタ１０の径方向の寸法Ｄ１よりも前記の幅Ｎ３が小さくてかしめ部１０ａが抵抗することとなる。従ってかしめ部１０ａの幅Ｋにコネクタ支持片１４が入ってコネクタ１０をプリント配線板８と非接触状態で安定して保持することになる。加えて、プリント配線板８や電池との短絡の危惧がなくなる。
【００１２】
（実施例２）
次に、本発明の実施例２について説明する。上記実施例１の構成と共通する要素には、同一の符号を付し、その詳細な説明は省略する。
【００１３】
図６は、本発明の実施例２における制御器固定装置Ｃの構成図である。
図６，図７，図８において、前記コネクタ１０を並列に並べ、両コネクタ１０を支持するコネクタ支持片１４の中央に位置するコネクタ支持片１４は左右両側に膨大部１４ａと傾斜部１４ｂを形成しており２線１対の保持形にしたものである。
【００１４】
上記構成では、省スペース化を図ることができる。
【００１５】
【発明の効果】
以上の説明から明らかのようにより、制御器固定装置のコネクタ支持片の先端間にコネクタのかしめ部分を、挿入し、コネクタ支持片の膨大部に傾斜部を通じて滑らせ、弾性のある膨大部を外側へ変形して広げながら圧入し、圧入部に圧入保持させることにより、コネクタに対して作用する前記圧入力と逆向きの引き抜き力には膨大部が抵抗し、又コネクタ支持片の長手方向の力に対しては、圧入部の幅がかしめ部の厚さ方向の寸法より大きくかつコネクタの径方向の寸法より小さいためコネクタが抵抗しコネクタ支持片はコネクタをプリント配線板と非接触状態で安定して保持する。加えて、プリント配線板や電池との短絡の危惧がなくなる。
【００１６】
また、請求項２の発明によればコネクタ支持片のうち中央に位置するコネクタ支持片が、左右両側に位置するコネクタ支持片とによりコネクタを並列に並べた状態で支持することが、省スペース化を図ることができる。
【００１７】
また、請求項３によれば、コネクタ支持片の長手方向の寸法が、かしめ部の長さ寸法よりも小さいためかしめ部はコネクタ支持片間に容易に圧入されることができる。
【図面の簡単な説明】
【図１】本発明のガス遮断装置の実施例において使用するプリント配線板の上面図
【図２】本発明の実施例１における制御器固定装置の斜視図
【図３】（ａ）同実施例１における制御器固定装置のコネクタ支持片の要部正面図
（ｂ）同要部下面図
【図４】同実施例１におけるコネクタの概要側面図
【図５】同実施例１におけるコネクタとコネクタ支持片との概要正面図
【図６】本発明の実施例２における制御器固定装置の斜視図
【図７】（ａ）同実施例２における制御器固定装置のコネクタ支持片の要部正面図
（ｂ）同要部下面図
【図８】同実施例２におけるコネクタとコネクタ支持片との概要正面図
【図９】従来例のガス遮断装置に使用するプリント配線板の上面図
【図１０】従来例のガス遮断装置の制御器固定装置の斜視図
【図１１】（ａ）同従来例の制御器固定装置のコネクタ支持片の要部正面図
（ｂ）同要部下面図
【図１２】同従来例におけるコネクタとコネクタ支持片との概要正面図
【符号の説明】
８  プリント配線板
９  リード線
１０  コネクタ
１０ａ  かしめ部
１１  係止爪
１２  固定片
１３  保護カバー部
１４  コネクタ支持片
１４ａ  膨大部
１４ｂ  傾斜部
１５  圧入部
【図１】
0003855368.tif 000002
【図２】
0003855368.tif 000003
【図３】
0003855368.tif 000004
【図４】
0003855368.tif 000005
【図５】
0003855368.tif 000006
【図６】
0003855368.tif 000007
【図７】
0003855368.tif 000008
【図８】
0003855368.tif 000009
【図９】
0003855368.tif 000010
【図１０】
0003855368.tif 000011
【図１１】
0003855368.tif 000012
【図１２】
0003855368.tif 000013